(57)【要約】【課題】複数の入力信号を１つの合成信号にするために用いるレシーバ・モジュールであって入力信号数の増加に容易に対応できるレシーバ・モジュールを提供する。【解決手段】外部から入力された第１信号Ｓ１と内部で発生した内部信号Ｑ１とを加算し出力信号Ｂ１として出力する加算器１と、外部から入力された第２信号Ｓ２と外部から入力された入力参照信号Ｓｒとを乗算する乗算器２と、乗算器２の出力の振幅を２倍に増幅して内部信号Ｑ１を出力する増幅器３と、入力参照信号Ｓｒを１／２分周し出力参照信号Ｓｒ-1を出力する分周器４とを、１つのモジュールとする。【効果】後段の出力信号を前段の第１信号とし、前段の出力参照信号を後段の入力参照信号とするようにレシーバ・モジュールを複数個、直列に結合すれば、入力信号数の増加に容易に対応できる。【選択図】図３
2005296459.tif 000002
【特許請求の範囲】
【請求項１】
外部から入力された第１信号と内部で発生した内部信号とを加算し出力信号として外部へ出力する加算手段と、外部から入力された第２信号と外部から入力された入力参照信号とを乗算する乗算手段と、前記乗算手段の出力の振幅を２倍に増幅して前記内部信号を出力する増幅手段と、前記入力参照信号を１／２分周し出力参照信号として外部へ出力する分周手段とを具備したことを特徴とするレシーバ・モジュール。
【請求項２】
請求項１に記載のレシーバ・モジュールにおいて、前記第１信号を入力するための第１コネクタと、前記出力信号を出力するための第２コネクタと、前記第２信号を入力するための第３コネクタと、前記入力参照信号を入力するための第４コネクタと、前記出力参照信号を出力するための第５コネクタとを具備したことを特徴とするレシーバ・モジュール。
【請求項３】
請求項２に記載のレシーバ・モジュールを複数個、前段の第３コネクタと後段の第２コネクタを結合し、前段の第５コネクタと後段の第４コネクタを結合して、直列に結合したことを特徴とする多チャンネル・レシーバ。
【請求項４】
外部から入力された第１信号と内部で発生した内部信号とを加算し出力信号として外部へ出力する加算手段と、外部から入力された入力参照信号を１／２分周し出力参照信号として外部へ出力する分周手段と、外部から入力された第２信号と前記出力参照信号とを乗算する乗算手段と、前記乗算手段の出力の振幅を２倍に増幅して前記内部信号を出力する増幅手段とを具備したことを特徴とするレシーバ・モジュール。
【請求項５】
請求項４に記載のレシーバ・モジュールにおいて、前記第１信号を入力するための第１コネクタと、前記出力信号を出力するための第２コネクタと、前記第２信号を入力するための第３コネクタと、前記入力参照信号を入力するための第４コネクタと、前記出力参照信号を出力するための第５コネクタとを具備したことを特徴とするレシーバ・モジュール。
【請求項６】
請求項５に記載のレシーバ・モジュールを複数個、前段の第３コネクタと後段の第２コネクタを結合し、前段の第５コネクタと後段の第４コネクタを結合して、直列に結合したことを特徴とする多チャンネル・レシーバ。
【請求項７】
第１受信コイルと、第２受信コイルと、前記第１受信コイルで得た受信信号を第１信号とし且つ前記第２受信コイルで得た受信信号を第２信号とする請求項１，２，４，５に記載のレシーバ・モジュールと、前記レシーバ・モジュールに入力する入力参照信号を発生する参照信号発生器とを具備したことを特徴とするＭＲＩ装置。
【請求項８】
ｎ≧２、１≦ｍ≦ｎ＋１、ｉ＝１，２，…，ｍとするとき、第１から第ｍの受信コイルと、ｎ段のレシーバ・モジュールを有し且つ第ｉ受信コイルで得た受信信号を第ｉ信号とし且つ最前段のレシーバ・モジュールからアナログ信号の出力信号を出力する請求項３または請求項６に記載の多チャンネル・レシーバと、前記出力信号をデジタル信号に変換して出力するＡＤ変換器および前記最前段のレシーバ・モジュールに入力する入力参照信号を発生する参照信号発生器を具備したＡＤ変換モジュールとを具備したことを特徴とするＭＲＩ装置。
【発明の詳細な説明】
【技術分野】
【０００１】
本発明は、レシーバ・モジュール、多チャンネル・レシーバおよびＭＲＩ（Magnetic Resonance Imaging）装置に関し、さらに詳しくは、複数の入力信号を１つの合成信号にするために用いるレシーバ・モジュールであって入力信号数の増加に容易に対応することが出来るレシーバ・モジュール、そのレシーバ・モジュールを用いた多チャンネル・レシーバおよびＭＲＩ装置に関する。
【背景技術】
【０００２】
従来、１つの受信コイルで得た受信信号を参照信号を用いて周波数変換する周波数変換モジュールを、複数個（各々の参照信号の周波数は異なる）、合成器に並列に接続し、複数の受信コイルで得た受信信号の各周波数帯を異ならせて合成するようにした磁気共鳴イメージング装置が知られている（例えば、特許文献１参照。）。
【特許文献１】特開２００２−１４３１２２号公報（［００３２］）
【発明の開示】
【発明が解決しようとする課題】
【０００３】
上記従来の磁気共鳴イメージング装置では、多チャンネル化により受信コイル数が増加した場合、周波数変換モジュールを増設することで対応可能になっている。
しかし、合成器に設けた並列入力端子の数または参照信号発生器で発生しうる異なる周波数の参照信号の数までしか周波数変換モジュールを増設できない問題点がある。
なお、合成器に設けた並列入力端子の数または参照信号発生器で発生しうる異なる周波数の参照信号の数を初めから十分多くしておくと、少ないチャネル数で稼働する場合に無駄が大きくなる問題点を生じる。
そこで、本発明の目的は、複数の入力信号を１つの合成信号にするために用いるレシーバ・モジュールであって入力信号数の増加に容易に対応することが出来るレシーバ・モジュール、そのレシーバ・モジュールを用いた多チャンネル・レシーバおよびＭＲＩ装置を提供することにある。
【課題を解決するための手段】
【０００４】
第１の観点では、本発明は、外部から入力された第１信号と内部で発生した内部信号とを加算し出力信号として外部へ出力する加算手段と、外部から入力された第２信号と外部から入力された入力参照信号とを乗算する乗算手段と、前記乗算手段の出力の振幅を２倍に増幅して前記内部信号を出力する増幅手段と、前記入力参照信号を１／２分周し出力参照信号として外部へ出力する分周手段とを具備したことを特徴とするレシーバ・モジュールを提供する。
上記第１の観点によるレシーバ・モジュールでは、第２信号と入力参照信号を乗算することによって入力参照信号の周波数分だけ第２信号の周波数帯域をシフトしてから第１信号を加算するので、第１信号と第２信号とを周波数帯を異ならせて合成することが出来る。そして、このレシーバ・モジュールを複数個、前段の第１信号として後段の出力信号を入力し、前段の出力参照信号を後段の入力参照信号として入力するように、直列に結合すれば、レシーバ・モジュールの増設だけで、入力信号数の増加に容易に対応できる。また、従来のような問題点を生じない。
【０００５】
第２の観点では、本発明は、上記構成のレシーバ・モジュールにおいて、前記第１信号を入力するための第１コネクタと、前記出力信号を出力するための第２コネクタと、前記第２信号を入力するための第３コネクタと、前記入力参照信号を入力するための第４コネクタと、前記出力参照信号を出力するための第５コネクタとを具備したことを特徴とするレシーバ・モジュールを提供する。
上記第２の観点によるレシーバ・モジュールでは、コネクタを用いているため、既存のレシーバ・モジュールと増設したレシーバ・モジュールの結合が容易になる。
【０００６】
第３の観点では、本発明は、上記構成のレシーバ・モジュールを複数個、前段の第３コネクタと後段の第２コネクタを結合し、前段の第５コネクタと後段の第４コネクタを結合して、直列に結合したことを特徴とする多チャンネル・レシーバを提供する。
上記第３の観点による多チャンネル・レシーバでは、レシーバ・モジュールの数をｎ（≧２）個とするとき、第１信号〜第（ｎ＋１）信号を好適に合成できる。
【０００７】
第４の観点では、本発明は、外部から入力された第１信号と内部で発生した内部信号とを加算し出力信号として外部へ出力する加算手段と、外部から入力された入力参照信号を１／２分周し出力参照信号として外部へ出力する分周手段と、外部から入力された第２信号と前記出力参照信号とを乗算する乗算手段と、前記乗算手段の出力の振幅を２倍に増幅して前記内部信号を出力する増幅手段とを具備したことを特徴とするレシーバ・モジュールを提供する。
上記第４の観点によるレシーバ・モジュールでは、第２信号と出力参照信号を乗算することによって出力参照信号の周波数分だけ第２信号の周波数帯域をシフトしてから第１信号を加算するので、第１信号と第２信号とを周波数帯を異ならせて合成することが出来る。そして、このレシーバ・モジュールを複数個、前段の第１信号として後段の出力信号を入力し、前段の出力参照信号を後段の入力参照信号として入力するように、直列に結合すれば、レシーバ・モジュールの増設だけで、入力信号数の増加に容易に対応できる。また、従来のような問題点を生じない。
【０００８】
第５の観点では、本発明は、上記構成のレシーバ・モジュールにおいて、前記第１信号を入力するための第１コネクタと、前記出力信号を出力するための第２コネクタと、前記第２信号を入力するための第３コネクタと、前記入力参照信号を入力するための第４コネクタと、前記出力参照信号を出力するための第５コネクタとを具備したことを特徴とするレシーバ・モジュールを提供する。
上記第５の観点によるレシーバ・モジュールでは、コネクタを用いているため、既存のレシーバ・モジュールと増設したレシーバ・モジュールの結合が容易になる。
【０００９】
第６の観点では、本発明は、上記構成のレシーバ・モジュールを複数個、前段の第３コネクタと後段の第２コネクタを結合し、前段の第５コネクタと後段の第４コネクタを結合して、直列に結合したことを特徴とする多チャンネル・レシーバを提供する。
上記第６の観点による多チャンネル・レシーバでは、レシーバ・モジュールの数をｎ（≧２）個とするとき、第１信号〜第（ｎ＋１）信号を好適に合成できる。
【００１０】
第７の観点では、本発明は、第１受信コイルと、第２受信コイルと、前記第１受信コイルで得た受信信号を第１信号とし且つ前記第２受信コイルで得た受信信号を第２信号とする上記構成のレシーバ・モジュールと、前記レシーバ・モジュールに入力する入力参照信号を発生する参照信号発生器とを具備したことを特徴とするＭＲＩ装置を提供する。
上記第７の観点によるＭＲＩ装置では、受信コイル数を３以上に増やしたい場合、レシーバ・モジュールの増設だけで容易に対応できる。また、受信コイル数が２のままでも大きな無駄は生じない。
【００１１】
第８の観点では、本発明は、ｎ≧２、１≦ｍ≦ｎ＋１、ｉ＝１，２，…，ｍとするとき、第１から第ｍの受信コイルと、ｎ段のレシーバ・モジュールを有し且つ第ｉ受信コイルで得た受信信号を第ｉ信号とし且つ最前段のレシーバ・モジュールからアナログ信号の出力信号を出力する上記構成の多チャンネル・レシーバと、前記出力信号をデジタル信号に変換して出力するＡＤ変換器および前記最前段のレシーバ・モジュールに入力する入力参照信号を発生する参照信号発生器を具備したＡＤ変換モジュールとを具備したことを特徴とするＭＲＩ装置を提供する。
上記第８の観点によるＭＲＩ装置では、受信コイル数をｍ以上に増やしたい場合、レシーバ・モジュールの増設だけで容易に対応できる。また、受信コイル数がｍのままでも大きな無駄は生じない。
【発明の効果】
【００１２】
本発明のレシーバ・モジュールおよび多チャンネル・レシーバによれば、信号数を増やしたい場合に、レシーバ・モジュールの増設だけで容易に対応できる。また、信号数が少ない場合でも大きな無駄は生じない。
本発明のＭＲＩ装置によれば、受信コイル数を増やしたい場合に、レシーバ・モジュールの増設だけで容易に対応できる。また、受信コイル数が少ない場合でも大きな無駄は生じない。
【発明を実施するための最良の形態】
【００１３】
以下、図を参照して本発明の実施の形態を説明する。なお、これにより本発明が限定されるものではない。
【実施例１】
【００１４】
図１は、実施例１に係るレシーバ・モジュール１１を示すブロック部である。
このレシーバ・モジュール１１は、第１コネクタ６を介して外部から入力された第１信号Ｓ１と内部で発生した内部信号Ｑ１とを加算し第２コネクタ７から外部へ出力信号Ｂ１として出力する加算器１と、第３コネクタ８を介して外部から入力された第２信号Ｓ２と第４コネクタ９を介して外部から入力された入力参照信号Ｓｒとを乗算する乗算器２と、乗算器２の出力の振幅を２倍に増幅して内部信号Ｑ１を出力する増幅器３と、入力参照信号Ｓｒを１／２分周し出力参照信号Ｓｒ-1として第５コネクタ１０から外部へ出力する分周器４とを、ボード５に搭載したものである。
【００１５】
第２信号Ｓ２としてＭＲＩ装置のＮＭＲ信号を想定すると、第２信号Ｓ２は、図２の（ａ）に示すように、磁気共鳴周波数Ｆｃの近傍に周波数幅を持った信号になる。ただし、説明の簡略化のために、第２信号Ｓ２＝Ａ２・cos(2π・Fc・t)で表す。
【００１６】
入力参照信号Ｓｒ＝cos(2π・Fo・t)とすると、内部信号Ｑ１は、
Ｑ１＝Ａ２・(1／2){cos(2π(Fc-Fo)ｔ)＋cos(2π(Fc+Fo)ｔ)}×２
＝Ａ２・cos(2π(Fc-Fo)ｔ)＋Ａ２・cos(2π(Fc+Fo)ｔ)
となり、図２の（ｂ）に示すようになる。ここで、入力参照信号Ｓｒの周波数Ｆｏは、例えば第２信号Ｓ２の周波数幅の１０〜１００倍程度の周波数である。
【００１７】
第１信号Ｓ１としてＭＲＩ装置のＮＭＲ信号を想定すると、第１信号Ｓ１は、図２の（ｃ）に示すように、磁気共鳴周波数Ｆｃの近傍に周波数幅を持った信号になる。ただし、説明の簡略化のために、第１信号Ｓ１＝Ａ１・cos(2π・Fc・t)で表す。
【００１８】
すると、図２の（ｄ）に示すように、出力信号Ｂ１＝Ａ１・cos(2π・Fc・t)＋Ａ２・cos(2π(Fc-Fo)ｔ)＋Ａ２・cos(2π(Fc+Fo)ｔ)となり、第１信号Ｓ１の情報と第２信号Ｓ２の情報とを含む合成信号を得ることが出来る。
【実施例２】
【００１９】
図３は、実施例２に係る多チャンネル・レシーバ２０を示すブロック図である。
この多チャンネル・レシーバ２０は、実施例１に係るレシーバ・モジュール１１を２個、前段のレシーバ・モジュール１１−１の第３コネクタ８と後段のレシーバ・モジュール１１−２の第２コネクタ７とを結合し、前段のレシーバ・モジュール１１−１の第５コネクタ１０と後段のレシーバ・モジュール１１−２の第４コネクタ９とを結合して、直列に結合したものである。
前段のレシーバ・モジュール１１−１の第１コネクタ６に第１信号Ｓ１を入力し、後段のレシーバ・モジュール１１−２の第１コネクタ６に第２信号Ｓ２を入力し、後段のレシーバ・モジュール１１−２の第３コネクタ８に第３信号Ｓ３を入力する。
【００２０】
図４の（ａ）に示すように、第３信号Ｓ３＝Ａ３・cos(2π・Fc・t)で表す。
入力参照信号Ｓｒ＝cos(2π・Fo・t)とすると、後段のレシーバ・モジュール１１−２における入力参照信号Ｓｒ−１＝cos(2π・Fo／2・t)であるから、後段のレシーバ・モジュール１１−２における内部信号Ｑ２は、
Ｑ２＝Ａ３・cos(2π(Fc-Fo／2)ｔ)＋Ａ２・cos(2π(Fc+Fo／2)ｔ)
となり、図４の（ｂ）に示すようになる。
【００２１】
図４の（ｃ）に示すように、第２信号Ｓ２＝Ａ２・cos(2π・Fc・t)で表す。
図４の（ｄ）に示すように、後段のレシーバ・モジュール１１−２における出力信号Ｂ２＝Ａ２・cos(2π・Fc・t)＋Ａ３・cos(2π(Fc-Fo／2)ｔ)＋Ａ３・cos(2π(Fc+Fo／2)ｔ)となる。
【００２２】
図４の（ｅ）に示すように、前段のレシーバ・モジュール１１−１における内部信号Ｑ１は、
Ｑ１＝Ａ３・cos(2π(Fc-3Fo／2)ｔ)＋Ａ２・cos(2π(Fc-Fo)ｔ)＋Ａ３・cos(2π(Fc-Fo／2)ｔ)＋Ａ３・cos(2π(Fc+Fo／2)ｔ)＋Ａ２・cos(2π(Fc+Fo)ｔ)＋Ａ３・cos(2π(Fc+3Fo／2)ｔ)となる。
【００２３】
図４の（ｆ）に示すように、第１信号Ｓ１＝Ａ１・cos(2π・Fc・t)で表す。
【００２４】
すると、図４の（ｇ）に示すように、出力信号Ｂ１＝Ａ１・cos(2π・Fc・t)＋Ａ３・cos(2π(Fc-3Fo／2)ｔ)＋Ａ２・cos(2π(Fc-Fo)ｔ)＋Ａ３・cos(2π(Fc-Fo／2)ｔ)＋Ａ３・cos(2π(Fc+Fo／2)ｔ)＋Ａ２・cos(2π(Fc+Fo)ｔ)＋Ａ３・cos(2π(Fc+3Fo／2)ｔ)となり、第１信号Ｓ１の情報と第２信号Ｓ２の情報と第３信号Ｓ３の情報とを含む合成信号を得ることが出来る。
【実施例３】
【００２５】
図５は、実施例３に係るレシーバ・モジュール１１’を示すブロック部である。
実施例１に係るレシーバ・モジュール１１では入力参照信号Ｓｒを乗算器２に入力していたが、実施例３に係るレシーバ・モジュール１１’では入力参照信号Ｓｒを分周器４で分周後の出力参照信号Ｓｒ−１を乗算器２に入力している。
【００２６】
レシーバ・モジュール１１’に対する入力参照信号Ｓｒは、その周波数を実施例１の２倍にしておく。これにより、図２を参照して実施例１で説明した作用と同一の作用を奏し、第１信号Ｓ１の情報と第２信号Ｓ２の情報とを含む合成信号を得ることが出来る。
【実施例４】
【００２７】
図６は、実施例４に係る多チャンネル・レシーバ２０’を示すブロック部である。
この多チャンネル・レシーバ２０’は、実施例３に係るレシーバ・モジュール１１’を２個、前段のレシーバ・モジュール１１’−１の第３コネクタ８と後段のレシーバ・モジュール１１’−２の第２コネクタ７とを結合し、前段のレシーバ・モジュール１１’−１の第５コネクタ１０と後段のレシーバ・モジュール１１’−２の第４コネクタ９とを結合して、直列に結合したものである。
前段のレシーバ・モジュール１１’−１の第１コネクタ６に第１信号Ｓ１を入力し、後段のレシーバ・モジュール１１’−２の第１コネクタ６に第２信号Ｓ２を入力し、後段のレシーバ・モジュール１１’−２の第３コネクタ８に第３信号Ｓ３を入力する。
【００２８】
実施例４に係る多チャンネル・レシーバ２０’でも、図４を参照して実施例２で説明した作用と同一の作用を奏し、第１信号Ｓ１の情報と第２信号Ｓ２の情報と第３信号Ｓ３の情報とを含む合成信号を得ることが出来る。
【実施例５】
【００２９】
図７は、実施例５にかかるＭＲＩ装置１００を示すブロック図である。
このＭＲＩ装置１００において、マグネットアセンブリ１０１は、内部に被検体を挿入するための空間部分（ボア）を有し、この空間部分を取りまくようにして、被検体に一定の静磁場を印加する静磁場コイル１０１Ｃと、Ｘ軸，Ｙ軸，Ｚ軸の勾配磁場（Ｘ軸，Ｙ軸，Ｚ軸の組み合わせによりスライス軸，位相エンコード軸，リード軸が形成される）を発生するための勾配コイル１０１Ｇと、被検体内の原子核のスピンを励起するためのＲＦパルスを与える送信コイル１０１Ｔと、被検体からのＮＭＲ信号を受信するための「ｎ＋１」チャンネルの受信コイル１０１(1)，１０１(2)，…，１０１(ｎ+1)とが配置されている。
静磁場コイル１０１Ｃ，勾配コイル１０１Ｇ，送信コイル１０１Ｔは、それぞれ静磁場電源１０２，勾配コイル駆動回路１０３，ＲＦ電力増幅器１０４に接続されている。また、受信コイル１０１(1)，１０１(2)，…，１０１(ｎ+1)は、それぞれ前置増幅器１０５(1)，１０５(2)，…，１０５(n+1)に接続されている。
なお、静磁場コイル１０１Ｃの代わりに永久磁石を用いてもよい。
【００３０】
シーケンス記憶回路１０８は、計算機１０７からの指令に従い、記憶しているパルスシーケンスに基づいて勾配コイル駆動回路１０３を操作し、マグネットアセンブリ１０１の勾配コイル１０１Ｇから勾配磁場を発生させると共に、ゲート変調回路１０９を操作し、ＲＦ発振回路１１０の搬送波出力信号を所定タイミング・所定包絡線形状・所定位相のパルス状信号に変調し、それをＲＦパルスとしてＲＦ電力増幅器１０４に加え、ＲＦ電力増幅器１０４でパワー増幅した後、マグネットアセンブリ１０１の送信コイル１０１Ｔに印加する。
【００３１】
多チャンネル・レシーバ２１は、受信コイル１０１(1)，１０１(2)，…，１０１(n+1)で受信され前置増幅器１０５(1)，１０５(2)，…，１０５(n+1)で増幅されたＮＭＲ信号Ｓ１，Ｓ２，…，Ｓ(n+1)を合成し、ＡＤ変換モジュール３０に入力する。
【００３２】
ＡＤ変換モジュール３０は、多チャンネル・レシーバ２１から入力されるアナログ信号の合成信号をデジタル信号に変換し、計算機１０７に入力する。
【００３３】
計算機１０７は、ＡＤ変換モジュール３０からデジタル信号を読み込み、フィルタリング処理により各チャネルごとのデータを得る。そして、各チャネルごとのデータに対して画像再構成処理を施してＭＲ画像を生成する。また、計算機１０７は、操作卓１１３から入力された情報を受け取るなどの全体的な制御を受け持つ。
表示装置１０６は、画像やメッセージを表示する。
【００３４】
図８は、多チャンネル・レシーバ２１およびＡＤ変換モジュール３０の構成を示すブロック図である。
多チャンネル・レシーバ２１は、ｎを２以上の整数とし、ｉを２からｎまでの整数とするとき、実施例１に係るレシーバ・モジュール１１をｎ個、前段のレシーバ・モジュール１１−(i-1)の第３コネクタ８と後段のレシーバ・モジュール１１−ｉの第２コネクタ７とを結合し、前段のレシーバ・モジュール１１−(i-1)の第５コネクタ１０と後段のレシーバ・モジュール１１−ｉの第４コネクタ９とを結合して、直列に結合したものである。
第１段のレシーバ・モジュール１１−１の第１コネクタ６に第１信号Ｓ１を入力し、第ｉ段のレシーバ・モジュール１１−ｉの第１コネクタ６に第ｉ信号Ｓｉを入力し、第ｎ段のレシーバ・モジュール１１−ｎの第３コネクタ８に第(n+1)信号Ｓ(n+1)を入力する。
【００３５】
ＡＤ変換モジュール３０は、コネクタ３７から入力されたアナログ信号をデジタル信号に変換してコネクタ３８から出力するＡＤ変換器３１と、多チャンネル・レシーバ２１へ供給する入力参照信号Ｓｒを発生しコネクタ３９から出力する参照信号発生器３２とを、ボード３５に搭載したものである。
【００３６】
ＡＤ変換モジュール３０のコネクタ３７と多チャンネル・レシーバ２１の最前段のレシーバ・モジュール１１−１の第２コネクタ７を結合し、ＡＤ変換モジュール３０のコネクタ３９と最前段のレシーバ・モジュール１１−１の第４コネクタ９を結合する。
また、ＡＤ変換モジュール３０のコネクタ３８を計算機１０７に接続する。
【００３７】
実施例５に係るＭＲＩ装置によれば、ｎ＝２ならば１個のレシーバ・モジュール１１−１だけを用いればよく、ｎ＝３ならば２個のレシーバ・モジュール１１−１，１１−２だけを用いればよく、どんな受信コイル数でも、大きな無駄なく、運営できる。また、受信コイル数を増やしたい場合には、レシーバ・モジュールの増設だけで容易に対応できる。
【実施例６】
【００３８】
実施例５に係るレシーバ・モジュール１１の代わりに、図９に示すレシーバ・モジュール１１’を用いてもよい。
このレシーバ・モジュール１１’は、実施例３に係るレシーバ・モジュール１１’を直列に結合したものである。
【実施例７】
【００３９】
図１０に示すように、前置増幅器１０５を、レシーバ・モジュール１１に含めてもよい。
【実施例８】
【００４０】
図１１に示すように、前置増幅器１０５を、レシーバ・モジュール１１’に含めてもよい。
【産業上の利用可能性】
【００４１】
本発明のレシーバ・モジュールおよび多チャンネル・レシーバは、最初は信号のチャネル数が少なく、後で増加するような機器において、複数の入力信号を１つの合成信号にするために用いるのに好適である。
本発明のＭＲＩ装置は、複数の受信コイルを用いてＭＲ撮像する場合に好適である。
【図面の簡単な説明】
【００４２】
【図１】実施例１に係るレシーバ・モジュールを示すブロック図である。
【図２】実施例１に係るレシーバ・モジュールの作用を示す説明図である。
【図３】実施例２に係る多チャンネル・レシーバを示すブロック図である。
【図４】実施例２に係る多チャンネル・レシーバの作用を示す説明図である。
【図５】実施例３に係るレシーバ・モジュールを示すブロック図である。
【図６】実施例４に係る多チャンネル・レシーバを示すブロック図である。
【図７】実施例５に係るＭＲＩ装置を示すブロック図である。
【図８】実施例５に係る多チャンネル・レシーバおよびＡＤ変換モジュールを示すブロック図である。
【図９】実施例６に係る多チャンネル・レシーバおよびＡＤ変換モジュールを示すブロック図である。
【図１０】実施例７に係る多チャンネル・レシーバおよびＡＤ変換モジュールを示すブロック図である。
【図１１】実施例８に係る多チャンネル・レシーバおよびＡＤ変換モジュールを示すブロック図である。
【符号の説明】
【００４３】
１                加算器
２                乗算器
３                増幅器
４                分周器
５                ボード
６                第１コネクタ
７                第２コネクタ
８                第３コネクタ
９                第４コネクタ
１０              第５コネクタ
１１，１１’      レシーバ・モジュール
２１，２１’      多チャンネル・レシーバ
３０              ＡＤ変換モジュール
３１              ＡＤ変換器
３２              参照信号発生器
１００            ＭＲＩ装置
【図１】
2005296459.tif 000003
【図２】
2005296459.tif 000004
【図３】
2005296459.tif 000005
【図４】
2005296459.tif 000006
【図５】
2005296459.tif 000007
【図６】
2005296459.tif 000008
【図７】
2005296459.tif 000009
【図８】
2005296459.tif 000010
【図９】
2005296459.tif 000011
【図１０】
2005296459.tif 000012
【図１１】
2005296459.tif 000013